(57)【要約】【課題】効率的な位置情報管理システムを提供する際に、通信装置への位置情報の設定を効率的に行う。【解決手段】位置情報提供装置に、第１の測位信号に基づいて、位置情報提供装置の位置を演算する測位手段と、位置情報提供装置の移動に応じて、位置情報提供装置の位置を推定する位置推定手段と、通信装置からの信号を受信する受信手段と、受信された通信装置からの第２の測位信号に、該通信装置の位置情報が含まれていない場合に、該通信装置の識別情報とともに、推定された位置情報を、通信装置の位置を管理する管理サーバへ送信する制御を実行する制御手段とを備える。位置情報推定手段は、測位手段による演算により得られる位置を基点として、位置情報提供装置の位置を推定する。【選択図】図１８
2014023119.tif 000002
【特許請求の範囲】
【請求項１】
位置情報を送信する位置情報提供装置であって、
第１の測位信号に基づいて、前記位置情報提供装置の位置を演算する測位手段と、
前記位置情報提供装置の移動に応じて、前記位置情報提供装置の位置を推定する位置推定手段と、
通信装置からの信号を受信する受信手段と、
前記受信手段により受信された前記通信装置からの第２の測位信号に、該通信装置の位置情報が含まれていない場合に、該通信装置の識別情報とともに、前記位置推定手段により推定された位置情報を、前記通信装置の位置を管理する管理サーバへ送信する制御を実行する制御手段と
を有し、
前記位置推定手段は、前記測位手段による演算により得られる位置を基点として、前記位置情報提供装置の位置を推定する、位置情報提供装置。
【請求項２】
前記第１の測位信号には、ＧＰＳ衛星からの測位信号、前記通信装置からの測位信号が含まれる、請求項１に記載の位置情報提供装置。
【請求項３】
前記管理サーバから前記通信装置へ、前記位置情報提供装置からの位置情報が通知され、
前記通信装置は、該通信装置の位置として、前記管理サーバからの位置情報を設定する、請求項１又は２に記載の位置情報提供装置。
【請求項４】
測距センサと、
撮像手段と、
前記測距センサにより検出される情報と、前記撮像手段により取得される情報と、前記位置推定手段により推定された位置に基づいて、所定の空間におけるマップを作成するマップ作成手段と
を有する、請求項１ないし３のいずれか１項に記載の位置情報提供装置。
【請求項５】
前記マップ作成手段は、前記マップに、前記受信手段により測定される前記通信装置からの信号の受信電界強度を反映する、請求項４に記載の位置情報提供装置。
【請求項６】
前記マップに基づいて、前記所定の空間で、前記受信電界強度の分布を最適化するための提案を行う最適化手段
を有する、請求項４又は５に記載の位置情報提供装置。
【請求項７】
光検出手段または可視光通信手段
を有し、
前記マップ作成手段は、前記光検出手段により検出された可視光に基づいて、前記マップに、前記通信装置の位置を反映する、請求項４ないし６のいずれか１項に記載の位置情報提供装置。
【請求項８】
地磁気センサ
を有し、
前記マップ作成手段は、前記マップに、前記地磁気センサにより検出された地磁気を反映する、請求項４ないし７のいずれか１項に記載の位置情報提供装置。
【請求項９】
位置情報を送信する位置情報提供装置における位置情報設定方法であって、
第１の測位信号に基づいて、前記位置情報提供装置の位置を演算し、
前記位置情報提供装置の移動に応じて、前記位置情報提供装置の位置を推定し、
通信装置からの第２の測位信号に、該通信装置の位置情報が含まれていない場合に、該通信装置の識別情報とともに、前記推定された位置情報を、前記通信装置の位置を管理する管理サーバへ送信し、
前記位置情報提供装置の位置を推定する際に、前記位置情報提供装置の位置の演算により得られる位置を基点として、前記位置情報提供装置の位置を推定する、位置情報設定方法。
【請求項１０】
前記管理サーバから前記通信装置へ、前記位置情報提供装置からの位置情報が通知され、
前記通信装置は、該通信装置の位置として、前記管理サーバからの位置情報を設定する、請求項９に記載の位置情報設定方法。
【発明の詳細な説明】
【技術分野】
【０００１】
本発明は、通信システムに関する。
【背景技術】
【０００２】
GPS等を用いた正確な測位が困難な施設等において、無線端末又は無線端末を有する人又は物品の位置を把握し、管理するために、様々な位置情報管理システムが提案されている。
【０００３】
特許文献１には、人に付されたパッシブ方式のRFタグを、固定されたRFリーダライタによって読み取り、その位置を他の無線端末等に通知するシステムが開示されている。
【０００４】
特許文献２には、無線端末が、近傍の送信器から無線送信される識別子を位置特定情報に置換して自らの位置を特定するシステムが開示されている。
【０００５】
特許文献３には、無線端末が、照明装置から発信される固有情報を受信し、該固有情報をサーバに送信することで、無線端末の位置を特定するシステムが開示されている。
【発明の概要】
【発明が解決しようとする課題】
【０００６】
しかしながら、特許文献１のシステムでは、通信可能範囲の狭いパッシブ方式のRFタグを読み取るために多数のRFリーダライタを設置する必要があり、インフラの導入のコストが高くなる可能性がある。
【０００７】
また、特許文献２のシステムでは、無線端末とサーバとの間の通信方式によっては、無線端末の消費電力が大きくなる可能性がある。
【０００８】
さらに、特許文献３のシステムにおいても、特許文献２と同様に、無線端末の消費電力に関して考慮されていない。また、サーバにおいて、無線端末の位置を特定するために、固有情報と関連付けられた位置を検索する必要があり、計算コストが高くなる可能性がある。
【０００９】
本発明は、このような問題に鑑みてなされたものであり、効率的な位置情報管理システムを提供する際に、通信装置への位置情報の設定を効率的に行うことを目的とする。
【課題を解決するための手段】
【００１０】
上述した課題を解決し目的を達成するため、
開示の一実施例の位置情報提供装置は、
位置情報を送信する位置情報提供装置であって、
第１の測位信号に基づいて、前記位置情報提供装置の位置を演算する測位手段と、
前記位置情報提供装置の移動に応じて、前記位置情報提供装置の位置を推定する位置推定手段と、
通信装置からの信号を受信する受信手段と、
前記受信手段により受信された前記通信装置からの第２の測位信号に、該通信装置の位置情報が含まれていない場合に、該通信装置の識別情報とともに、前記位置推定手段により推定された位置情報を、前記通信装置の位置を管理する管理サーバへ送信する制御を実行する制御手段と
を有し、
前記位置推定手段は、前記測位手段による演算により得られる位置を基点として、前記位置情報提供装置の位置を推定する。
【００１１】
開示の一実施例の位置情報設定方法は、
位置情報を送信する位置情報提供装置における位置情報設定方法であって、
第１の測位信号に基づいて、前記位置情報提供装置の位置を演算し、
前記位置情報提供装置の移動に応じて、前記位置情報提供装置の位置を推定し、
通信装置からの第２の測位信号に、該通信装置の位置情報が含まれていない場合に、該通信装置の識別情報とともに、前記推定された位置情報を、前記通信装置の位置を管理する管理サーバへ送信し、
前記位置情報提供装置の位置を推定する際に、前記位置情報提供装置の位置の演算により得られる位置を基点として、前記位置情報提供装置の位置を推定する、位置情報設定方法。
【発明の効果】
【００１２】
開示の実施例によれば、効率的に位置情報を管理する位置情報管理システムを提供する際に、通信装置への位置情報の設定を効率的に行うことができる。
【図面の簡単な説明】
【００１３】
【図１】一実施形態における位置情報管理システムを表す図。
【図２】一実施形態における位置情報管理システムを構成するネットワークを表す図。
【図３】一実施形態における通信装置のハードウェア構成図。
【図４】一実施形態における無線端末のハードウェア構成図。
【図５】一実施形態における管理装置のハードウェア構成図。
【図６】一実施形態における管理サーバのハードウェア構成図。
【図７】一実施形態における通信装置の機能ブロック図。
【図８】一実施形態における無線端末の機能ブロック図。
【図９】一実施形態における管理装置の機能ブロック図。
【図１０】一実施形態における管理サーバの機能ブロック図。
【図１１】一実施形態における通信装置が保持する情報の一例を表す図。
【図１２】一実施形態における無線端末が保持する情報の一例を表す図。
【図１３】一実施形態における無線端末が送信する位置情報のフォーマットの一例を表す図。
【図１４】一実施形態における管理サーバが保持する情報の一例を表す図。
【図１５】一実施形態における位置情報管理システムの動作シーケンスを表す図。
【図１６】一実施形態における管理サーバの検索画面の一例を表す図。
【図１７】一実施形態における管理サーバの検索結果画面の一例を表す図。
【図１８】一実施形態における位置情報提供装置のハードウェア構成図。
【図１９】一実施形態における位置情報提供装置の機能ブロック図。
【図２０】一実施形態における位置情報提供装置の動作を示す図。
【図２１】一実施形態における通信装置の機能ブロック図。
【図２２】一実施形態における位置情報提供装置の動作を示す図。
【図２３】一実施形態における位置情報提供装置の動作を示す図。
【図２４】一実施形態における移動通信装置のハードウェア構成図。
【図２５】一実施形態における移動通信装置の機能ブロック図。
【図２６】IMESメッセージの一実施例を示す図。
【図２７】一実施形態における移動通信装置の動作を示す図。
【図２８】一実施形態における移動通信装置の動作を示す図。
【図２９】一実施形態における移動通信装置の機能ブロック図。
【発明を実施するための形態】
【００１４】
以下、実施形態を図面に基づいて説明する。
【００１５】
１．システム
２．ハードウェア構成例
３．機能
４．動作シーケンス
（１．システム）
図１は一実施形態における位置情報管理システム１を表す。図１は、通信装置１００、１０２、１０４、１０６、無線端末１２０、１２２、１２４、管理装置１４０、管理サーバ１６０、通信装置と無線端末と管理装置とから構成されるネットワーク１８０及びネットワーク１９０を有する。ここで、ネットワーク１８０は、管理装置１４０によって管理される無線ネットワークである。
【００１６】
図２は、図１において無線ネットワークを構成する通信装置１００、１０２、１０４、１０６、無線端末１２０、１２２、１２４、管理装置１４０を抜き出して示したものである。
【００１７】
通信装置１００、１０２、１０４、１０６は、例えば部屋の天井等に固定され、固定された位置に係る、経緯情報、建物の階数及び棟番号のような位置情報（以下「位置情報」とする）そのものを連続的又は断続的に無線送信する。通信装置は、それぞれ独立した筐体を有し、予め設置された電源から給電されて動作するか、あるいはLED蛍光管のような照明器具に組み込まれ、該照明器具から給電されて動作する。通信装置１００、１０２、１０４、１０６は、それぞれが保持する位置情報を、無線信号により所定の範囲に送信する。所定の範囲は、用いられる無線信号の信号強度によって定められる。通信装置は、位置の管理対象となる領域をカバーするように配置され、それぞれの領域が重複しないように構成される。あるいは、重複する場合であっても、位置情報を受信する側において、受信電波の強度に基づいて、何れか一つの通信装置が決定できるよう構成される。図１の例では、それぞれの通信装置の下方に示される円錐型の点線が、所定の範囲を表している。位置情報を送信する通信方式として、例えば地上補完信号（Indoor  Messaging  System;IMES）を用いることができる。
【００１８】
無線端末１２０、１２２、１２４は、通信装置１００、１０２、１０４、１０６のうち、最寄の通信装置が送信する無線信号を受信することができる。図１の例では、それぞれの無線端末は、位置を管理する対象である直方体の管理対象物に付されている。無線端末１２０、１２２、１２４は、自らも電波を送信可能な、例えばアクティブタグのような端末である。以下、無線端末１２０について説明する。
【００１９】
（無線端末１２０）
無線端末１２０は、通信装置１００からの無線信号を受信できる範囲にあり、通信装置１００の位置情報を受信する。通信装置１００の位置情報の受信は、例えばIMESを用いて行われる。無線端末１２０は、受信した位置情報と共に、例えばネットワークアドレスのような自らの識別情報を含む情報を通信装置１００へ送信する。該送信は、例えばIEEE802.15.4及びZigBee（登録商標）のような近距離無線通信によるネットワーク１８０を通じて行われる。この場合には、無線端末１２０の識別情報として、IEEE802.15.4の短縮アドレスまたはIEEE拡張（MAC）アドレスを用いることができる。通信装置１００へ送信された識別情報と位置情報は、次に、隣接する通信装置１０２を経由して、管理装置１４０に送信される。なお、無線端末１２０における送受信の動作は、当該無線端末１２０において予め定められたタイミングか、あるいは、当該無線端末１２０の備える加速度センサによる加速度の変化が検出されたタイミングで行われる。
【００２０】
管理装置１４０は、ネットワーク１８０とネットワーク１９０とを相互に接続し、ネットワーク１８０側から送信されたデータをネットワーク１９０にブリッジする。管理装置１４０は、例えば建物のフロア毎、または壁などで仕切られた部屋毎に設置される。ネットワーク１８０がIEEE802.15.4及びZigBee（登録商標）によるPAN（Personal  Area  Network）であり、ネットワーク１９０がIEEE802.3規格に基づくLANである場合には、それらの間での通信方式の変換を行う。また、無線端末１２０の識別情報がIEEE802.15.4の短縮アドレスで表されている場合には、PAN構成時の情報に基づきIEEE拡張アドレスに変換し、管理サーバ１６０に送信する。
【００２１】
管理サーバ１６０は、管理装置１４０を経由して受信された識別情報と位置情報とを、受信日時と共に記録し、通信装置の位置を管理する。管理サーバ１６０では、無線端末に係る管理対象物が予め記録されている。よって、これらの情報を用いて、管理対象物の所在を探索することができる。
【００２２】
ネットワーク１８０は、それぞれの通信装置１００、１０２、１０４、１０６と、無線端末１２０、１２２、１２４と、管理装置１４０とを接続する、例えばIEEE802.15.4及びZigBee（登録商標）規格によって構成されるPANである。PANがIEEE802.15.4及びZigBee（登録商標）規格で構成される場合は、無線端末、通信装置、管理装置は、それぞれZigBee（登録商標）規格で定められるエンドデバイス機能、ルータ機能及びコーディネータ機能を有する。そして、それぞれの通信装置及び無線端末は、起動時に管理装置の管理下に入り、PANを構成し、管理装置への最小経路が決定される。
【００２３】
ネットワーク１９０は、管理装置１４０と管理サーバ１６０とを接続するネットワークであり、例えばIEEE802.3規格で定められるLANである。
【００２４】
上記の通り、一実施形態における位置情報管理システム１において、無線端末は、最寄の通信装置と通信できるだけの電力を用いて、識別情報と位置情報とを管理サーバへ送信することができる。また、通信装置を設置するための新たなインフラの敷設が不要であり、導入コストを低減することができる。
【００２５】
なお、通信装置の位置情報は、ネットワーク１８０を通じて提供されてもよい。これにより、IMESのような位置情報を送信するための送信手段が不要となる。
【００２６】
また、無線端末は、位置情報を送信した通信装置よりさらに近傍に管理装置が存在する場合には、識別情報と位置情報とを管理装置１４０に送信してもよい。これにより、最短経路で識別情報と位置情報が管理サーバに送信できる。
【００２７】
また、管理サーバに、管理装置の機能を統合してもよい。これにより、個別の管理装置が不要となる。
【００２８】
また、無線端末は、スマートフォン、PDA、PC又はスマートメータのような、アクティブタグと同等の機能を有する無線端末であってもよい。これにより、タグを付することなく、既存の無線端末の位置情報の管理が可能となる。
【００２９】
また、上述の位置情報に加えて、例えば部屋の中の区画を表す情報のような、より細かな位置を特定する情報を含んでもよい。これにより、より細かな位置管理が可能となる。
【００３０】
また、位置管理対象が人であってもよい。これにより、当該システム１によって人の所在を管理することができる。
【００３１】
また、ネットワーク１８０は、例えばBluetooth  LE、ANT、Z-Wave等の近距離無線通信を用いて構成されてもよい。これにより、多様な無線端末の位置情報を管理することが可能となる。
【００３２】
また、ネットワーク１９０は、例えばインターネットのような、複数の種類のネットワークを含んでもよい。これにより、ネットワーク１８０と管理サーバ１６０との間の物理的な位置に関係なく、無線端末の位置情報を管理することが可能となる。
（２．ハードウェア構成例）
次に、図３、図４、図５、図６を用いて、位置情報管理システム１に含まれる通信装置１００、無線端末１２０、管理装置１４０、管理サーバ１６０のハードウェア構成について説明する。
【００３３】
図３は、一実施形態における通信装置１００のハードウェア構成を表す。通信装置１００は、ＣＰＵ２００、ＲＡＭ２０２、ＲＯＭ２０４、位置信号送信制御部２０６、位置信号送信部２０８、無線通信制御部２１０、無線通信部２１２及びバス２１４を有する。
【００３４】
ＣＰＵ２００は、当該通信装置１００の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該通信装置１００の位置情報を記憶する。位置信号送信制御部２０６は、位置信号送信部２０８を介して当該通信装置１００の位置情報を表す測位信号を送信するための処理を実行する。位置信号送信部２０８は、例えばIMESのような測位信号を送出するアンテナを含む装置である。無線通信制御部２１０は、無線通信部２１２を介して無線通信処理を実行する。無線通信部２１２は、例えばIEEE802.15.4規格に適合する電波を送受信可能なアンテナを含む装置である。バス２１４は、上記装置を電気的に接続する。
【００３５】
上記構成により、一実施形態における通信装置１００は、無線端末１２０に対して位置情報を送信し、無線端末１２０から識別情報と位置情報を受信し、これらの情報を管理装置を介して管理サーバへ送信することができる。
【００３６】
なお、上述したように、位置情報を無線通信によって送信する場合には、位置信号送信制御部２０６と位置信号送信部２０８は不要となる。
【００３７】
図４は、一実施形態における無線端末１２０のハードウェア構成を表す。無線端末１２０は、ＣＰＵ２２０、ＲＡＭ２２２、ＲＯＭ２２４、位置信号受信制御部２２６、位置信号受信部２２８、無線通信制御部２３０、無線通信部２３２、加速度検出制御部２３４、加速度検出部２３６及びバス２３８を有する。
【００３８】
ＣＰＵ２２０は、当該無線端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、当該無線端末１２０の識別情報や、通信装置１００から受信した位置情報を記憶する。位置信号受信制御部２２６は、位置信号受信部２２８を介して、位置情報を表す測位信号を受信するための処理を実行する。位置信号受信部２２８は、例えばIMESのような測位信号を受信するアンテナを含む装置である。無線通信制御部２３０は、無線通信部２３２を介して無線通信処理を実行する。無線通信部２３２は、例えばIEEE802.15.4規格に適合する電波を送受信可能なアンテナを含む装置である。加速度検出制御部２３４は、加速度検出部２３６を介して加速度の変化を検出する。加速度検出部２３６は、例えば加速度センサ又は慣性力や磁気を用いたモーションセンサである。バス２３８は、上記装置を電気的に接続する。
【００３９】
上記構成により、一実施形態における無線端末１２０は、通信装置１００から位置情報を受信し、前記位置情報と共に自らの識別情報を通信装置１００へ送信することができる。特に、無線端末が動かされたタイミングで送信又は受信の動作を行うことにより、効率的に識別情報及び位置情報を送信することができる。
【００４０】
なお、無線端末１２０がスマートフォンやＰＣのような情報端末である場合には、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００４１】
また、無線端末１２０がGPSアンテナ及び対応する制御部を備える場合には、前記アンテナを用いてIMESによる測位信号を受信でき、ソフトウェアの改修のみによって当該位置情報管理システム１に対応させることができる。
【００４２】
また、加速度検出制御部２３４及び加速度検出部２３６は任意の構成要素である。加速度検出制御部２３４及び加速度検出部２３６を備えない場合には、当該無線端末１２０の送信又は受信の動作は、予め定められた間隔又は時刻においてなされる。
【００４３】
また、上述したように、位置情報が無線通信によって受信される場合には、位置信号受信制御部２２６と位置信号受信部２２８は不要となる。
【００４４】
図５は、一実施形態における管理装置１４０のハードウェア構成を表す。管理装置１４０は、ＣＰＵ２４０、ＲＡＭ２４２、ＲＯＭ２４４、無線通信制御部２４６、無線通信装置２４８、有線通信制御部２５０、有線通信装置２５２及びバス２５４を有する。
【００４５】
ＣＰＵ２４０は、当該管理装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信制御部２４６は、無線通信装置２４８を介して無線通信処理を実行する。無線通信装置２４８は、例えばIEEE802.15.4規格に適合する電波を送受信可能なアンテナを含む装置である。有線通信制御部２５０は、有線通信装置２５２を介して有線による通信処理を実行する。有線通信装置２５２は、例えばIEEE802.3規格に適合するネットワークインターフェースを有する装置である。バス２５４は、上記装置を電気的に接続する。
【００４６】
上記構成により、一実施形態における管理装置１４０は、通信装置１００及び無線端末１２０を含むネットワーク１８０からの信号を、管理サーバ１６０を含むネットワーク１９０へと変換することができる。また、PANを構成するネットワーク１８０がZigBee（登録商標）である場合には、PANに参加するデバイスを管理するコーディネータの機能を有することができる。
【００４７】
図６は、一実施形態における管理サーバ１６０のハードウェア構成を表す。管理サーバ１６０は、ＣＰＵ２６０、ＲＡＭ２６２、ＲＯＭ２６４、ＨＤＤ２６６、通信制御部２６８、通信部２７０、表示制御部２７２、表示部２７４、入力制御部２７６、入力部２７８及びバス２８０を有する。
【００４８】
ＣＰＵ２６０は、当該管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６は、当該位置情報管理システム１で用いられる無線端末１２０の位置を管理するための情報を記憶する。通信制御部２６８は、通信部２７０を介して通信処理を実行する。通信部２７０は、例えばIEEE802.3規格に適合するネットワークインターフェースを有する装置である。表示制御部２７２は、当該管理サーバ１６０上で実行される、位置管理に係るプログラムの処理内容に合わせて、表示部２７４に表示される内容を制御する。表示部２７４は、例えば液晶ディスプレイやＣＲＴディスプレイのようなディスプレイが含まれる。入力制御部２７６は、ユーザからの入力を受け付ける、キーボード、マウス等の入力部２７８からの信号を処理する。バス２８０は、上記装置を電気的に接続する。
【００４９】
上記構成により、一実施形態における管理サーバ１６０は、無線端末１２０の位置を管理し、該無線端末１２０の所在を探索することができる。
【００５０】
なお、ＨＤＤ２６６は、テープドライブを含むあらゆる記憶装置であってもよく、あるいは、ネットワークを介してアクセス可能なストレージ領域であってもよい。
【００５１】
また、管理サーバ１６０は、上述した管理装置１４０が備える無線通信制御部及び無線通信装置を備え、管理装置１４０に代えて、その処理を行ってもよい。これにより、管理装置１４０を別途設ける必要がなくなる。
（３．機能）
図７は、一実施形態における通信装置１００の機能ブロック図を表す。一実施形態における通信装置１００は、記憶手段３００、通信手段３０４及び制御手段３１２を有する。
【００５２】
記憶手段３００は、当該通信装置１００の位置情報３０２を記憶する。位置情報３０２を記憶するためのテーブルの例を図１１に示す。図１１は、階数、緯度、経度、棟番号の項目を含む。階数は、当該通信装置１００が設置される建物の階数を表す。緯度及び経度は、当該通信装置１００の所在する位置の緯度及び経度を表す。棟番号は、当該通信装置１００が設置される建物の棟番号を表す。図１１の例では、通信装置１００は、ある建物のＣ棟の１６階に所在し、緯度が３５．４５９５５５、経度が１３９．３８７１１０の地点に所在する。
【００５３】
通信手段３０４は、位置情報送信手段３０６、端末情報受信手段３０８及び端末情報送信手段３１０を有する。
【００５４】
位置情報送信手段３０６は、経緯情報、建物の階数、棟番号のような情報を含む位置情報３０２を、所定の範囲にある無線端末１２０に対して連続的又は断続的に無線送信する。位置情報３０２は、例えばIMESに規定されるフォーマットを用いて送信される。
【００５５】
端末情報受信手段３０８は、無線端末１２０から送信された識別情報と位置情報とを受信する。
【００５６】
端末情報送信手段３１０は、無線端末１２０から送信された識別情報と位置情報とを、管理装置１４０を介して管理サーバ１６０へ送信する。ネットワーク１８０がZigBee（登録商標）規格を用いてなされる場合には、前記送信は、当該通信装置１００が保持するルーティング情報を用いて行われる。
【００５７】
制御手段３１２は、当該通信装置１００の動作を制御する。当該通信装置１００が無線端末１２０及び管理装置１４０とZigBee（登録商標）を用いてPANを構成する場合には、当該通信装置１００がルータ機能を提供するよう制御する。
【００５８】
上記構成により、一実施形態における通信装置１００は、位置情報３０２を保持し、位置情報３０２を無線端末１２０に送信し、該無線端末１２０の識別情報と位置情報を受信して、該識別情報を管理装置１４０を通じて管理サーバへ送信することができる。
【００５９】
なお、位置情報３０２は、通信装置１００が設置される建物名や、部屋の中の区画を表す情報のような追加の情報を含んでもよい。これにより、より細かな位置管理が可能となる。
【００６０】
図８は、一実施形態における無線端末１２０の機能ブロック図を表す。一実施形態における無線端末１２０は、記憶手段３２０、通信手段３２６、加速度検出手段３３２及び制御手段３３４を有する。
【００６１】
記憶手段３２０は、識別情報３２２と位置情報３２４を有する。識別情報３２２は、当該無線端末１２０のネットワークアドレスのような、当該位置情報管理システム１上で無線端末１２０を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報３２４は、通信装置１００から送信された位置情報３０２である。位置情報３２４を記憶するためのテーブルの例を図１２に示す。構成は図１１と同様である。
【００６２】
通信手段３２６は、位置情報受信手段３２８と識別情報送信手段３３０を有する。
【００６３】
位置情報受信手段３２８は、通信装置１００から送信された位置情報３０２を受信する。受信された位置情報３０２は、当該無線端末１２０の記憶手段３２０に保持される。
【００６４】
識別情報送信手段３３０は、当該無線端末１２０の識別情報３２２と共に位置情報３２４を通信装置１００に送信する。位置情報３０２は、例えば図１２のようなフォーマットにより無線端末１２０に送信される。図１２のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。実際には、このフォーマットに加えて、通信方式によって規定されるヘッダやチェックサム情報が付加されて送信される。通信方式として、例えばIEEE802.15.4及びZigBee（登録商標）規格が用いられる。
【００６５】
加速度検出手段３３２は、当該無線端末１２０の加速度の変化を検出する。加速度の変化は、例えば当該無線端末１２０が移動を開始した時、該移動が停止した時、又は傾きを検出した時等に検出される。検出された加速度の変化は、当該無線端末１２０の送信又は受信の動作のタイミングを決定するために用いられる。なお、当該加速度検出手段３３２は任意の構成要素である。
【００６６】
制御手段３３４は、位置情報受信手段２３８による位置情報の受信のタイミングと、識別情報送信手段３３０による識別情報３２２と位置情報３２４との送信のタイミングを制御する。送受信のタイミングは、加速度検出手段３３２による加速度の変化の検出に基づいて決定される。あるいは、当該無線端末１２０に予め設定された間隔あるいは時刻に基づいて決定されてもよい。また、送信と受信のタイミングは、それぞれ独立して決定されてもよい。さらに、制御手段３３４は、当該無線端末１２０が通信装置１００及び管理装置１４０と共にZigBee（登録商標）によりPANを構成する場合には、当該無線端末１２０がエンドポイント機能を提供するよう制御する。
【００６７】
上記構成により、一実施形態における無線端末１２０は、通信装置から位置情報を効率的に受信し、該位置情報と共に識別情報通信装置へ効率的に送信することができる。
【００６８】
なお、無線端末１２０がスマートフォンやＰＣのような情報端末である場合には、ユーザからの入力を受け付ける入力手段や、ユーザに情報を提示する表示手段を備えてもよい。これにより、ユーザへの識別情報又は位置情報の提示や、ユーザからの識別情報又は位置情報の入力又は修正が可能となる。
【００６９】
図９は、一実施形態における管理装置１４０の機能ブロック図を表す。一実施形態における管理装置１４０は、通信手段３４０、変換手段３４６及び制御手段３４８を有する。
【００７０】
通信手段３４０は、受信手段３４２と送信手段３４４を有する。受信手段３４２は、ネットワーク１８０に属する通信装置又は無線端末から送信されたデータを受信する。送信手段３４４は、当該管理装置１４０で変換された前記データを、ネットワーク１９０に属する管理サーバ１６０へ送信する。ネットワーク１８０は、例えばIEEE802.15.4及びZigBee（登録商標）規格に基づくPANである。また、ネットワーク１９０は、例えばIEEE802.3規格に基づくLANである。
【００７１】
変換手段３４６は、受信手段３４２がネットワーク１８０から受信したデータを、ネットワーク１９０に適合する形式に変換する。変換されたデータは、送信手段３４４によって、ネットワーク１９０を介して管理サーバ１６０へ送信される。ここで、前記データに含まれる、無線端末１２０の識別情報が、IEEE802.15.4の短縮アドレスで表されている場合には、PAN構成時の情報に基づき、IEEE拡張アドレスに変換される。
【００７２】
制御手段３４８は、当該管理装置１４０の動作を制御する。当該管理装置１４０が通信装置１００と無線端末１２０と共にZigBee（登録商標）規格によりPANを構成する場合には、当該管理装置１４０がコーディネータ機能を提供するよう制御する。
【００７３】
上記構成により、一実施形態における管理装置１４０は、通信装置１００及び無線端末１２０が属するネットワーク１８０と、管理サーバが属するネットワーク１９０との間の通信をブリッジすることができる。
【００７４】
図１０は、一実施形態における管理サーバ１６０の機能ブロック図を表す。一実施形態における管理サーバ１６０は、通信手段３６０、記憶手段３６６、入力手段３７０、表示手段３７２及び制御手段３７４を有する。
【００７５】
通信手段３６０は、受信手段３６２と送信手段３６４を有する。受信手段３６２は、管理装置１４０を通じて無線端末から送信された識別情報と位置情報とを受信する。受信された識別情報と位置情報は、記憶手段３６６に記憶される。送信手段３６４は、外部サーバ等に対して位置情報の提供を求められた場合に、該位置情報を前記外部サーバ等に送信する。
【００７６】
記憶手段３６６は、位置管理情報３６８を有する。位置管理情報３６８は、無線端末１２０から受信した識別情報と位置情報に、受信時刻等の管理情報を付加した情報である。該情報を記憶するテーブルの例を図１４に示す。図１４は、識別情報、機器名、所有部署、緯度、経度、階数、棟、受信日時の項目を有する。識別情報は、当該識別情報を送信した無線端末１２０の、例えばIEEE拡張アドレスのような情報である。緯度、経度、階数、棟は、識別情報と共に受信された位置情報に対応する。受信日時は、管理サーバ１６０が当該情報を受信した日時である。機器名は、当該情報を送信した無線端末１２０が付される管理対象の名前又は無線端末１２０の機器名である。所有部署は、当該情報を送信した無線端末１２０を所有する部署名である。機器名及び所有部署の情報は、予め当該管理サーバ１６０によって、識別情報と関連付けられている。
【００７７】
入力手段３７０は、ユーザが位置情報を探索するために、ユーザからの入力を受け付ける。
【００７８】
表示手段３７２は、ユーザが位置情報を探索するための検索画面に係るＧＵＩを画面上に表示する。検索画面の例を図１６に示す。図１６に示された「所在検索システム」では、記憶手段３６６に記憶された情報を元に、無線端末に係る所有部署と機器名を画面に一覧表示する。ユーザが、検索したい機器のチェックボックスを入力手段３７０を通じて選択すると、チェックマークが付される。検索したい機器に全てチェックマークを付けた後に「検索実行」ボタンを選択すると、検索が実行され、結果を表示する画面に切り替わる。図１６の例では、ユーザが「営業１課」が所有する「ＵＣＳ  Ｐ３０００」という機器を対象として検索を実行する例を示している。図１７は、その検索結果の画面の例である。「検索実行」ボタンが選択されると、表示手段３７２は、記憶手段３６６に記憶されたデータを元に、「ＵＣＳ  Ｐ３０００」が所在する「A棟4階」のフロア図と、その機器名及び受信日時を表示する。
【００７９】
制御手段３７４は、当該管理サーバの動作を制御する。
【００８０】
上記構成により、一実施形態における管理サーバ１６０は、無線端末の位置を管理し、その所在を検索することができる。特に、無線端末の位置そのものを表す情報そのものを直接受信して管理することができ、位置の探索にかかる計算量を低減することができる。
【００８１】
なお、管理サーバ１６０は、管理装置１６０の有する変換手段３４６、制御手段３４８及び受信手段３４２と同様の機能を有し、管理装置１６０と同様の機能を有してもよい。これにより、管理装置１６０を個別に設ける必要がなくなる。
【００８２】
また、管理サーバ１６０によって記憶される位置管理情報３６８は、図１４に示された情報と共に、あるいは該情報に代えて、無線端末が情報を送信した日時、経由した通信装置又は管理装置の識別子、情報の到着までにかかった時間又は電界強度を含む情報を記憶してもよい。これにより、より詳細な条件で位置情報を管理することができる。
【００８３】
また、管理サーバ１６０は、無線端末の過去の位置情報を記録してもよい。これにより、無線端末の移動を追跡することができる。
（４．動作シーケンス）
図１５は、図１の構成における一実施形態における位置情報管理システム１の動作シーケンスを表す図である。図１５では、加速度の変化を検知すると位置情報を受信し、識別情報を送信する通信装置１００と、該通信装置１００の属する領域に位置情報を送信する無線端末１２０と、PAN（IEEE802.15.4及びZigBee（登録商標））とLAN（IEEE802.3）とをブリッジする管理装置１４０と、管理サーバ１６０とで構成される例について説明する。通信装置１００と、無線端末１２０と、管理装置１４０との間のPANは既に確立されているものとする。
【００８４】
ステップＳ８００において、通信装置１００は、IMES等を用いて位置情報を連続的又は断続的に送信する。
【００８５】
ステップＳ８０２において、無線端末１２０は、加速度の変化を検知する。
【００８６】
ステップＳ８０４において、無線端末１２０は、通信装置１００から送信される位置情報を受信する。
【００８７】
ステップＳ８０６において、無線端末１２０は、受信された位置情報を記憶する。
【００８８】
ステップＳ８０８において、無線端末１２０は、識別情報と位置情報を通信装置１００へ送信する。
【００８９】
ステップＳ８１０において、通信装置１００は、無線端末１２０から受信した識別情報と位置情報とを最小経路を通じて管理装置へ送信する。
【００９０】
ステップＳ８１２において、管理装置１４０は、通信装置１００から受信した識別情報と位置情報を含む、ネットワーク１８０から送信されたデータをネットワーク１９０で適合する形式へと変換する。
【００９１】
ステップＳ８１４において、管理装置１４０は、ネットワーク１９０に適合する形式に変換された識別情報と位置情報を管理サーバ１６０へ送信する。
【００９２】
ステップＳ８１６において、管理サーバ１６０は、管理装置から受信した識別情報と位置情報を、識別情報に対応する無線端末の情報と共に登録する。
【００９３】
以上の手順により、一実施形態における位置情報管理システム１は、無線端末が最寄の通信装置に対して効率よく識別情報と位置情報とを送信することにより、無線端末の消費電力を抑えることができる。
【００９４】
なお、既に述べたように、管理サーバ１６０が管理装置１４０の機能を統合して実行してもよい。この場合には、別個の管理装置１４０を設置する必要がなくなる。
【００９５】
また、無線端末が加速度検出手段３３２を備えていない場合には、ステップＳ８０２は実行されず、ステップＳ８０４における位置情報の受信は、所定の時刻又は所定の間隔で行われ得る。その後の処理は、ステップＳ８０６〜Ｓ８１６と同様である。
【００９６】
一実施形態における位置情報管理システム１では、通信装置１００は屋内の特異箇所に設置され、通信装置１００から送信される位置情報に基づいて、無線端末１２０は、絶対測位を実行する。このようなレンジフリー方式の測位システムを採用した場合、位置情報を送信する通信装置１００へ、位置情報が設定される。
【００９７】
位置情報の設定は、管理者により行われてもよい。管理者は、既知の屋内マップ情報等を参照し、通信装置１００を設置する地点の緯度、経度、フロア情報等を調査する。管理者は、通信装置１００に、調査結果から決定された位置を設定する。
【００９８】
この場合、屋内マップ情報に基づいて、位置が決定されるため、屋内マップ情報がない場合には、通信装置１００に、位置を設定できない。また、屋内マップ情報に誤りが含まれる場合には、通信装置１００に設定された位置の真正性が損なわれる場合がある。
【００９９】
そこで、位置情報管理システム１の一実施形態では、屋内マップ情報を作成する位置情報提供装置４００が提供される。位置情報提供装置４００は、屋内マップ情報を自律的に作成する。位置情報提供装置４００は、屋内マップ情報と、絶対位置情報とを紐付け、送信装置１００の位置を推定する。
【０１００】
図１８は、一実施形態における位置情報提供装置４００のハードウェア構成を表す。位置情報提供装置４００は、ＣＰＵ４０２、ＲＡＭ４０４、ＲＯＭ４０６、測位信号受信制御部４０８、測位信号受信部４１０、無線通信制御部４１２、無線通信部４１４、測位制御部４１６、ＧＰＳ受信部４１８、相対測位制御部４２０、センサ４２２、移動制御部４２４、車輪４２６、可視光通信制御部４２８、及び可視光通信部４３０を有する。
【０１０１】
ＣＰＵ４０２は、当該位置情報提供装置４００の動作の制御を行うプログラムを実行する。ＲＡＭ４０４は、ＣＰＵ４０２のワークエリア等を構成する。ＲＯＭ４０６は、ＣＰＵ４０２が実行するプログラムを記憶する。測位信号受信制御部４０８は、測位信号受信部４１０を介して、位置情報を含む測位信号を受信するための処理を実行する。測位信号受信部４１０は、例えばIMESのような測位信号を受信するアンテナを含む装置である。
【０１０２】
無線通信制御部４１２は、無線通信部４１４を介して無線通信処理を実行する。無線通信部４１４は、例えばIEEE802.15.4、IEEE802.11等の規格に適合する電波を送受信可能なアンテナを含む装置である。
【０１０３】
測位制御部４１６は、ＧＰＳ受信部４１８を介して、当該位置情報提供装置４００の位置を測位する。ＧＰＳ受信部４１８は、ＧＰＳ衛星（図示なし）により送信される測位信号を受信する。
【０１０４】
相対測位制御部４２０は、センサ４２２を介して、当該位置情報提供装置４００の位置を推定する。例えば、相対測位制御部４２０は、センサ４２２により検出された情報に基づいて、測位制御部４１６により検出された位置を基点として当該位置情報提供装置４００の位置を推定する。相対測位制御部４２０は、オドメトリやデッドレコニング機能を利用して、当該位置情報提供装置４００の位置を推定するようにしてもよい。オドメトリ機能を利用される場合には、車輪４２６に取り付けられたエンコーダ情報により、当該位置情報提供装置４００の位置が推定されてもよい。また、相対測位制御部４２０は、ＳＬＡＭ（Ｓｉｍｕｌｔａｎｅｏｕｓ  Ｌｏｃａｌｉｚａｔｉｏｎ  ａｎｄ  Ｍａｐｐｉｎｇ）により、当該位置情報提供装置４００の位置を推定するようにしてもよい。ＳＬＡＭを利用することにより、センサ情報に基づいて、環境地図と、当該位置情報提供装置４００の位置の推定を略同時に行うことができる。
【０１０５】
センサ４２２には、例えば加速度センサ又は慣性力や磁気を用いたモーションセンサが含まれる。また、センサ４２２には、レーザーレンジファインダ（Ｌａｓｅｒ  Ｒａｎｇｅ  Ｆｉｎｄｅｒ  ：ＬＲＦ）や超音波センサ、赤外線センサ等の測距センサ、カメラや３Ｄセンサ等が含まれてもよい。さらに、センサ４２２には、地磁気センサ等が含まれてもよい。
【０１０６】
移動制御部４２４は、車輪４２６を駆動し、当該位置情報提供装置４００の移動を制御する。移動制御部４２４は、予め決定された経路に従って、移動させるようにしてもよいし、進行できる方向に移動させるようにしてもよい。車輪４２６は、当該位置情報提供装置４００を移動させる。位置情報提供装置４００の一実施形態では、車輪４２６により移動する場合について説明するが、車輪に限られず、他の移動手段により移動するようにしてもよい。
【０１０７】
可視光通信制御部４２８は、可視光通信部４３０を介して可視光を検出する処理を実行する。可視光は、例えば、通信装置１００を搭載したLED照明等から照射される。可視光通信部４３０は、例えばフォトダイオード（Photodiode）のような可視光を検出する装置である。
【０１０８】
バス４３２は、上記各部を電気的に接続する。
【０１０９】
上記構成により、一実施形態における位置情報提供装置４００は、通信装置１００から測位信号を受信できる。また、位置情報提供装置４００は、該測位信号に位置情報が含まれていない場合や、位置情報が誤っている場合に、管理サーバ１６０に、該通信装置１００の識別情報とともに当該位置情報提供装置４００の推定位置を送信することができる。
【０１１０】
なお、位置情報提供装置４００に、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【０１１１】
図１９は、一実施形態における位置情報提供装置４００の機能ブロック図を表す。一実施形態における位置情報提供装置４００は、記憶手段５０２、通信手段５０８、位置情報判定手段５１４、屋内マップ情報作成手段５１５、制御手段５１６、及び位置情報推定手段５１８を有する。
【０１１２】
記憶手段５０２は、識別情報５０４と、位置情報５０６とを有する。識別情報５０４は、当該位置情報提供装置４００のネットワークアドレスのような、位置情報管理システム１上で位置情報提供装置４００を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報５０６は、通信装置１００から送信された測位信号に含まれる位置情報である。位置情報５０６を記憶するためのテーブルの例を図１２に示す。構成は図１１と同様である。
【０１１３】
通信手段５０８は、測位信号受信手段５１０と、位置情報送信手段５１２とを有する。
【０１１４】
測位信号受信手段５１０は、通信装置１００から送信された測位信号を受信する。受信された測位信号に位置情報３０２が含まれる場合には、当該位置情報提供装置４００の記憶手段５０２に、該位置情報を保持するようにしてもよい。
【０１１５】
位置情報送信手段５１２は、通信装置１００からの測位信号に位置情報が含まれていない場合に、該通信装置１００の識別情報とともに、通信装置１００の推定位置を送信する。ここで、通信装置１００の推定位置は、該通信装置１００から測位信号を受信した際に、相対測位制御部４２０により推定される当該位置情報提供装置４００の位置である。また、位置情報送信手段５１２は、通信装置１００からの測位信号に含まれる位置情報が誤っている場合に、該通信装置１００の識別情報とともに、通信装置１００の推定位置を送信するようにしてもよい。ここで、通信装置１００の推定位置は、該通信装置１００から測位信号を受信した際に、相対測位制御部４２０により推定される当該位置情報提供装置４００の位置である。つまり、位置情報提供装置４００の推定位置が、通信装置１００の推定位置とみなされる。
【０１１６】
位置情報送信手段５１２による制御により無線通信部４１４から送信される通信装置１００の識別情報、通信装置１００の推定位置は、管理装置１４０を介して、管理サーバ１６０に送信される。管理サーバ１６０は、管理装置１４０からの通信装置１００の識別情報、通信装置１００の推定位置を、該当する通信装置１００に設定する。具体的には、管理サーバ１６０は、管理装置１４０からの通信装置１００の識別情報を宛先として、通信装置１００の推定位置を送信する。該推定位置は、管理サーバ１６０の通信部２７０から、管理装置１４０に送信される。管理装置１４０は、管理サーバ１６０からの通信装置１００の推定位置を無線送信する。例えば、管理サーバ１６０からの通信装置１００の推定位置は有線通信部２５２により受信され、無線通信部２４８から送信される。該推定位置は、該当する通信装置１００に受信される。通信装置１００の推定位置は、例えば図１２のようなフォーマットにより通信装置１００に送信される。図１２のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。ここで、位置情報提供装置４００は、予め保持する階数、棟番号を、通信装置１００の推定位置に含め、管理サーバ１６０に送信するようにしてもよい。実際には、このフォーマットに加えて、通信方式によって規定されるヘッダやチェックサム情報が付加されて送信される。通信方式として、例えばIEEE802.15.4及びZigBee（登録商標）規格が用いられる。
【０１１７】
位置情報判定手段５１４は、測位信号受信手段５１０により受信された測位信号に、位置情報が含まれるか否かを判定する。また、位置情報判定手段５１４は、測位信号受信手段５１０により受信された測位信号に位置情報が含まれる場合であっても、該位置情報が正しいか否かを判定するようにしてもよい。位置情報判定手段５１４は、測位信号受信手段５１０により受信された測位信号に含まれる位置情報が正しいか否かを判定する際に、位置情報推定手段５１８で推定された位置に基づいて判定するようにしてもよい。
【０１１８】
屋内マップ情報作成手段５１５は、センサ４２２により検出された情報に基づいて、屋内マップを作成する。例えば、屋内マップ情報作成手段５１５は、測距センサにより検出された情報と、カメラにより取得された情報とを組み合わせて、空間を認識するようにしてもよい。測距センサには、例えば、レーザーレンジファインダ、超音波センサ、赤外線センサ等が含まれる。屋内マップ情報作成手段５１５は、空間認識の結果と、位置情報推定手段５１８による推定位置に基づいて、屋内マップを作成するようにしてもよい。さらに、屋内マップ情報作成手段５１５は、屋内マップに、当該位置情報提供装置４００の位置を登録するようにしてもよい。例えば、屋内マップ情報作成手段５１５は、ＳＬＡＭにより、当該位置情報提供装置４００の位置を推定するようにしてもよい。ＳＬＡＭを利用することにより、センサ情報に基づいて、環境地図と、当該位置情報提供装置４００の位置の推定を略同時に行うことができる。
【０１１９】
また、屋内マップ情報作成手段５１５は、測位信号受信部４１０により測定される測位信号の電波強度を、屋内マップに反映し、電波分布が最適であるか否かを判定するようにしてもよい。例えば、屋内マップ情報作成手段５１５は、FDTD法（Finite-difference time-domain method）による測位信号の電磁場解析による最適化シミュレーションの結果と比較し、電波分布が最適であるか否かを判定する。電波分布が最適でないと判定した場合、屋内マップ情報作成手段５１５は、最適化シミュレーション結果に基づく電波分布に従って、電波分布が最適となるように、送信装置１００の設置位置を新たに提案したり、送信装置１００を移動させる位置を提案したり、送信装置１００から送信する測位信号の出力強度を変更する提案をしたりしてもよい。また、屋内マップ情報作成手段５１５は、管理装置１４０を介して、管理サーバ１６０に、出力強度を変更する命令を送信するようにしてもよい。出力強度を変更する命令は、管理サーバ１６０から、該当する通信装置１００へ送信される。出力強度を変更する命令を受信した通信装置１００は、出力強度を変更する。
【０１２０】
また、屋内マップ情報作成手段５１５は、可視光通信制御部４２８から、可視光通信部４３０により検出される可視光を照射するLED照明の位置情報を取得し、屋内マップ情報に反映してもよい。
【０１２１】
図２０は、位置情報提供装置４００の動作の一実施例を示す。図２０は、位置情報提供装置４００が屋内マップ情報を作成する際の動作を示す。
【０１２２】
位置情報提供装置４００は、屋内を移動する。図２０に示される例では、位置情報提供装置４００は、一点破線により示される経路で、位置（１）から位置（２）を経由して、位置（３）へ移動する。
【０１２３】
位置（１）では、位置情報提供装置４００は、ＧＰＳ受信部４１８により受信されるＧＰＳ衛星８００ｌ（ｌは、ｌ＞２の整数）等からの測位信号に基づいて、測位を実行し、当該位置情報提供装置４００の（絶対）位置を求める。また、図２０に示されるように、屋外で、位置情報提供装置４００は、ＧＰＳ受信部４１８により受信されるＧＰＳ衛星８００ｌ等からの測位信号に基づいて、測位を実行し、当該位置情報提供装置４００の位置を求めるようにしてもよい。
【０１２４】
位置（２）、位置（３）では、位置情報提供装置４００は、通信装置１００から測位信号を受信するが、該通信装置１００には位置情報が設定されている。位置情報提供装置４００は、通信装置１００からの測位信号に、位置情報が含まれているため、通信装置１００の推定位置を送信しない。
【０１２５】
位置情報提供装置４００は、屋内を移動し、屋内マップ情報を作成する。位置情報提供装置４００は、屋内マップ情報に基づいて、ソルバー機能により、電波分布が最適であるか否かを判定する。例えば、位置情報提供装置４００は、測位信号に含まれる位置情報によりカバーされる領域がフロア全体で抜け、漏れがないか否かを判定するようにしてもよい。この場合、フロア面におけるカバー率により判定するようにしてもよい。電波分布が最適でないと判定した場合、位置情報提供装置４００は、屋内マップにおける電波分布に基づいて、電波分布が最適となるように、送信装置１００の設置位置を新たに提案する。例えば、図２０では、位置情報提供装置４００は、「（Ａ）」により表される位置に、通信装置１００を設置することを提案する。「（Ａ）」により表される領域は、通信装置１００からの測位信号によりカバーされていないためである。
【０１２６】
また、例えば、図２０では、位置情報提供装置４００は、「（Ｂ）」により表される位置に設置されている通信装置１００を、「（Ｂ´）」により表される位置に移動させることを提案する。「（Ｂ）」により表される通信装置１００からの測位信号のカバー領域は、他の通信装置１００からの測位信号のカバー領域と重複する部分が多い。従って、通信装置１００を、「（Ｂ´）」により表される位置に移動させることにより、他の通信装置１００からの測位信号のカバー領域と重複する部分を低減する。
【０１２７】
また、例えば、図２０では、位置情報提供装置４００は、「（Ｃ）」により表される位置に設置されている通信装置１００に、電波強度を増加させるように提案する。「（Ｃ）」により表される通信装置１００からの測位信号の電波強度が弱いため、「（Ｃ）」により表される通信装置１００の周辺の領域には、測位信号が送信されない領域が存在している。このため、「（Ｃ）」により表される通信装置１００からの測位信号の電波強度を増加させることにより、測位信号が送信されない領域を低減する。
【０１２８】
電波分布が最適となるように、通信装置１００を新たに設置するか、通信装置１００の設置位置を移動させるか、通信装置１００の電波強度を調整するかは、予め設定されてもよいし、所定のアルゴリズムにより選択されてもよい。
【０１２９】
また、屋内マップ情報作成手段５１５は、センサ４２２から、地磁気情報を取得し、地磁気および環境地場の空間マップを作成するようにしてもよい。
【０１３０】
上記構成により、一実施形態における位置情報提供装置４００は、通信装置１００から測位信号に基づいて、屋内マップを作成できる。また、位置情報提供装置４００は、屋内マップに基づいて、電波分布を最適化するために、通信装置１００の設置位置の提案、通信装置１００の移動の提案等を行うことができる。
【０１３１】
制御手段５１４は、測位信号受信手段５１０による測位信号の受信のタイミングと、位置情報送信手段５１２による通信装置１００の推定位置の送信のタイミングを制御する。送受信のタイミングは、当該位置情報提供装置４００に予め設定された間隔あるいは時刻に基づいて決定されてもよい。また、送信と受信のタイミングは、それぞれ独立して決定されてもよい。
【０１３２】
上記構成により、一実施形態における位置情報提供装置４００は、通信装置１００から測位信号を効率的に受信できる。また、位置情報提供装置４００は、通信装置１００の位置を推定できるため、通信装置１００からの測位信号に位置情報が含まれていない場合であっても、該通信装置１００に、通信装置１００の推定位置を通知できる。
【０１３３】
位置情報推定手段５１８は、ＧＰＳ受信部４１８により受信された測位信号に基づいて測位制御部４１６により測位された位置と、相対測位部４２２により検知された情報に基づいて相対測位制御部４２０により測位された位置に基づいて、当該位置情報提供装置４００の位置を推定する。例えば、位置情報推定手段５１８は、ＧＰＳ受信部４１８により受信された測位信号に基づいて測位された位置を基点とし、相対測位部４２２により検知された情報に基づいて、当該位置情報提供装置４００の位置を推定する。相対測位部４２０により、通信装置１００からの測位信号の電界強度が最大と想定される位置が検出され、該位置が求められる。推定された位置は、必要に応じて、緯度、経度に変換され、位置情報送信手段５１２による制御により、管理装置１４０を介して、管理サーバ１６０に送信される。
【０１３４】
なお、位置情報提供装置４００に、ユーザからの入力を受け付ける入力手段や、推定位置を提示する表示手段を備えてもよい。これにより、ユーザへの推定位置の提示や、ユーザからの推定位置の入力又は修正が可能となる。
【０１３５】
図２１は、一実施形態における通信装置１００の機能ブロック図を表す。通信装置１００のハードウェア構成は、図３と略同一である。
【０１３６】
一実施形態における通信装置１００は、図７に示される通信装置１００に、位置情報受信手段３０７と、位置情報設定手段３１４とを有するようにしたものである。
【０１３７】
位置情報受信手段３０７は、管理装置１０４からの位置情報を受信する。例えば、位置情報受信手段３０７は、無線通信部２１２を制御することにより、位置情報を受信する。
【０１３８】
位置情報設定手段３１４は、位置情報受信手段３０７により受信された位置情報を設定する。例えば、位置情報設定手段３１４は、記憶手段３００に、位置情報に格納するようにしてもよい。また、位置情報設定手段３１４は、記憶手段３００に格納された位置情報３０２を更新するようにしてもよい。
【０１３９】
上記構成により、一実施形態における通信装置１００は、管理サーバ１６０から、管理装置１４０を介して送信された位置情報を受信できる。また、通信装置１００は、管理サーバ１６０からの位置情報を、当該通信装置１００の位置情報として設定できる。
【０１４０】
図２２は、位置情報提供装置４００の動作の一実施例を示す。
【０１４１】
図２２に示される例では、位置情報提供装置４００は、屋内を移動する。図２２に示される例では、位置情報提供装置４００は、一点破線により示される経路で、位置（１）から位置（２）を経由して、位置（３）に移動する。
【０１４２】
位置（１）では、位置情報提供装置４００は、ＧＰＳ受信部４１８により受信される測位信号に基づいて、当該位置情報提供装置４００の位置を測位する。また、図２２に示されるように、屋外で、位置情報提供装置４００は、ＧＰＳ受信部４１８により受信されるＧＰＳ衛星８００ｌ等からの測位信号に基づいて、測位を実行し、当該位置情報提供装置４００の位置を求めるようにしてもよい。
【０１４３】
位置（２）では、位置情報提供装置４００は、通信装置１００から測位信号を受信するが、該通信装置１００には位置情報が設定されている。位置情報提供装置４００は、通信装置１００からの測位信号に、位置情報が含まれているため、該通信装置１００の推定位置を送信しない。
【０１４４】
位置（３）では、位置情報提供装置４００は、通信装置１００から測位信号を受信する。該通信装置１００には位置情報が設定されていない。位置情報提供装置４００は、通信装置１００からの測位信号に、位置情報が含まれていないため、該通信装置１００の推定位置を送信する。
【０１４５】
図２３は、位置情報提供装置４００の動作の一実施例を示す。
【０１４６】
ステップＳ２３０２では、通信装置１００は、測位信号を送信する。該測位信号には、通信装置１００固有のＩＤ情報が含まれる。測位信号は、IMESメッセージであってもよい。
【０１４７】
ステップS２３０４では、位置情報提供装置４００は、通信装置１００からの測位信号を受信する。位置情報提供装置４００は、測位信号に、位置情報が含まれるか否かを判定する。ここでは、位置情報提供装置４００は、測位信号に、位置情報が含まれていないと判定する。
【０１４８】
ステップS２３０６では、位置情報提供装置４００は、当該位置情報提供装置４００の位置を推定し、緯度経度情報に変換する。例えば、位置情報提供装置４００は、オドメトリ測位等により、当該位置情報提供装置４００の位置を推定するようにしてもよい。
【０１４９】
ステップＳ２３０８では、位置情報提供装置４００は、管理サーバ１６０に、通信装置１００固有のＩＤと、該通信装置１００の推定位置を送信する。通信装置１００の推定位置は、位置情報提供装置４００の相対測位された位置情報である。例えば、位置情報提供装置４００は、無線通信部４１４から、通信装置１００固有のＩＤと、該通信装置１００の推定位置を送信する。通信装置１００固有のＩＤと、該通信装置１００の推定位置は、管理装置１４０を介して、管理サーバ１６０に送信される。
【０１５０】
ステップＳ２３１０では、管理サーバ１６０は、位置情報提供装置４００からの通信装置１００固有のＩＤに基づいて、通信装置１００を宛先として、該通信装置１００の推定位置を送信する。
【０１５１】
ステップＳ２３１２では、通信装置１００は、管理サーバ１６０からの該通信装置１００の推定位置を設定する。
【０１５２】
位置情報管理システム１の一実施形態において、位置情報提供装置４００は、ＧＰＳ衛星８００ｌからの測位信号に基づく測位により求められる位置情報の代わりに、通信装置１００からの測位信号に含まれる位置情報を用いるようにしてもよい。ここで、該通信装置１００には、正しい位置情報が設定されている必要がある。このようにすることにより、位置情報提供装置４００に、測位制御部４１６、ＧＰＳ受信部４１８を備える必要がない。
【０１５３】
位置情報管理システム１の一実施形態によれば、通信装置１００に位置情報が設定されていない場合に、位置情報提供装置４００により、位置情報を設定できる。また、通信装置１００に位置情報が設定されているが、該位置が誤っている場合にも、位置情報提供装置４００により、位置情報を設定できる。位置情報提供装置４００により、通信装置１００に、位置情報が必要に応じて設定されるため、管理者が設定する煩わしさを低減できる。
【０１５４】
位置情報管理システム１の一実施例では、通信装置１００は屋内の特異箇所に設置され、通信装置１００からの位置情報に基づいて、無線端末１２０は、絶対測位を実行する。つまり、無線端末１２０は、通信装置１００からの位置情報のカバー領域に侵入した際に、位置情報を受信し、測位することができる。
【０１５５】
従って、通信装置１００からの位置情報のカバー領域外に、無線端末１２０が位置する場合には、該無線端末１２０は、位置情報を受信できないため、測位できない。例えば、無線端末１２０が管理サーバ１６０へ、識別情報と、位置情報を送信した後に、通信装置１００からの位置情報のカバーエリア外を移動した場合、無線端末１２０の位置が変わっているにも拘わらず、無線端末１２０から、管理サーバに１６０に、位置情報が送信されない。このような場合、管理サーバ１６０に管理される位置管理情報と、実際の状況とが異なることになる。すなわち、管理サーバ１６０に管理される位置管理情報の信頼性が損なわれる場合がある。
【０１５６】
そこで、位置情報管理システム１の一実施形態では、無線端末１２０に、位置情報を提供する移動通信装置６００が提供される。移動通信装置６００は、通信装置１００からの測位信号に基づいて、当該移動通信装置の位置を認識する。移動通信装置６００は、相対測位手段により、当該移動通信装置６００の位置を推定する。移動通信装置６００は、測位信号に基づいて認識した位置を基点として、相対測位手段により推定された位置を経度緯度情報に変換する。移動通信装置６００は、経度緯度情報に変換した位置情報を送信する。つまり、移動通信装置６００は、通信装置１００からの位置情報の受信位置からの移動を補間し、送信する。
【０１５７】
図２４は、一実施形態における移動通信装置６００のハードウェア構成を表す。移動通信装置６００は、ＣＰＵ６０２、ＲＡＭ６０４、ＲＯＭ６０６、測位信号受信制御部６０８、測位信号受信部６１０、無線通信制御部６１２、無線通信部６１４、位置信号送信制御部６１６、測位信号送信部６１８、相対測位制御部６２０、センサ６２２、移動制御部６２４、車輪６２６を有する。
【０１５８】
ＣＰＵ６０２は、当該移動通信装置６００の動作の制御を行うプログラムを実行する。ＲＡＭ６０４は、ＣＰＵ６０２のワークエリア等を構成する。ＲＯＭ６０６は、ＣＰＵ６０２が実行するプログラムを記憶する。
【０１５９】
測位信号受信制御部６０８は、測位信号受信部６１０を介して、位置情報を含む測位信号を受信するための処理を実行する。測位信号受信部６１０は、例えばIMESのような測位信号を受信するアンテナを含む装置である。
【０１６０】
無線通信制御部６１２は、無線通信部６１４を介して無線通信処理を実行する。無線通信部６１４は、例えばIEEE802.15.4規格に適合する電波を送受信可能なアンテナを含む装置である。
【０１６１】
位置信号送信制御部６１６は、位置信号送信部６１８を介して当該移動通信装置６００の推定位置情報を含む測位信号を送信するための処理を実行する。位置信号送信部６１８は、例えばIMESのような測位信号を送出するアンテナを含む装置である。
【０１６２】
相対測位制御部６２０は、センサ６２２を介して、当該移動通信装置６００の位置を推定する。例えば、相対測位制御部６２０は、センサ６２２により検出された情報に基づいて、測位信号受信制御部６０８により受信された位置を基点として当該移動通信装置６００の位置を推定する。相対測位制御部６２０は、オドメトリやデッドレコニング機能を利用して、当該移動通信装置６００の位置を推定するようにしてもよい。センサ６２２には、例えば、加速度センサ、ジャイロセンサ、慣性力や地磁気を用いたモーションセンサが含まれる。また、センサ６２２には、レーザーレンジファインダ（Ｌａｓｅｒ  Ｒａｎｇｅ  Ｆｉｎｄｅｒ  ：ＬＲＦ）や超音波センサ、赤外線センサ等の測距センサ、カメラや３Ｄセンサ等が含まれてもよい。
【０１６３】
移動制御部６２４は、車輪６２６を駆動し、当該移動通信装置６００の移動を制御する。移動制御部６２４は、予め決定された経路に従って、移動させるようにしてもよいし、進行できる方向に移動させるようにしてもよい。進行できる方向は取得しているマップ情報を元に未取得領域方向を優先させ決定するようにしてもよい。また、車輪６２６は、当該移動通信装置６００を移動させる。移動通信装置６００の一実施形態では、車輪６２６により移動する場合について説明するが、車輪に限られず、他の移動手段により移動するようにしてもよい。
【０１６４】
バス６２８は、上記各部を電気的に接続する。
【０１６５】
上記構成により、一実施形態における移動通信装置６００は、通信装置１００から測位信号を受信できる。また、移動通信装置６００は、当該移動通信装置６００の移動に応じて推定された位置を送信することができる。
【０１６６】
移動通信装置６００に、ＧＰＳ衛星からの測位信号を受信するＧＰＳ受信部（図示なし）を備えるようにしてもよい。相対測位制御部６２０は、センサ６２２により検出された情報に基づいて、ＧＰＳ受信部により受信された測位信号により測位された位置を基点として当該移動通信装置６００の位置を推定するようにしてもよい。
【０１６７】
なお、移動通信装置６００に、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【０１６８】
図２５は、一実施形態における移動通信装置６００の機能ブロック図を表す。一実施形態における移動通信装置６００は、記憶手段７０２、通信手段７０８、制御手段７１８、及び位置情報推定手段７２０を有する。
【０１６９】
記憶手段７０２は、識別情報７０４と、位置情報７０６とを有する。識別情報７０４は、当該移動通信装置６００のネットワークアドレスのような、位置情報管理システム１上で移動通信装置６００を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報７０６は、通信装置１００から送信された測位信号に含まれる位置情報である。位置情報７０６を記憶するためのテーブルの例を図１２に示す。構成は図１１と同様である。
【０１７０】
通信手段７０８は、測位信号受信手段７１０と、位置情報送信手段７１２と、端末情報受信手段７１４と、端末情報送信手段７１６とを有する。
【０１７１】
測位信号受信手段７１０は、通信装置１００からの測位信号を受信する。受信された測位信号に位置情報３０２が含まれる場合には、当該移動通信装置６００の記憶手段７０２に、該位置情報を保持するようにしてもよい。
【０１７２】
位置情報送信手段７１２は、当該移動通信装置６００の推定位置を送信する。移動通信装置６００の推定位置は、例えば図１２のようなフォーマットにより移動通信装置６００から送信される。図１２のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。ここで、移動通信装置６００は、予め保持する階数、棟番号を、当該移動通信装置６００の推定位置に含め、送信するようにしてもよい。実際には、このフォーマットに加えて、通信方式によって規定されるヘッダやチェックサム情報が付加されて送信される。通信方式として、例えばIEEE802.15.4及びZigBee（登録商標）規格が用いられる。
【０１７３】
端末情報受信手段７１４は、無線端末１２０から送信された識別情報と位置情報とを受信する。
【０１７４】
端末情報送信手段７１６は、無線端末１２０から送信された識別情報と位置情報とを、管理装置１４０を介して管理サーバ１６０へ送信する。ネットワーク１８０がZigBee（登録商標）規格を用いてなされる場合には、前記送信は、当該通信装置１００が保持するルーティング情報を用いて行われる。
【０１７５】
制御手段７１８は、測位信号受信手段７１０による位置情報の受信のタイミングと、位置情報送信手段７１２による当該移動通信装置６００の推定位置の送信のタイミングを制御する。送受信のタイミングは、当該移動通信装置６００に予め設定された間隔あるいは時刻に基づいて決定されてもよい。また、送信と受信のタイミングは、それぞれ独立して決定されてもよい。
【０１７６】
上記構成により、一実施形態における移動通信装置６００は、通信装置１００から測位信号を効率的に受信できる。また、移動通信装置６００は、移動した場合であっても当該移動通信装置６００の位置を推定できるため、無線端末１２０に、推定位置を通知できる。
【０１７７】
位置情報推定手段７２０は、測位信号受信部６１０を介して、測位信号受信制御部６０８により受信された測位信号に含まれる位置情報により示される位置と、センサ６２２により検知された情報に基づいて、相対測位制御部６２０により測位された位置に基づいて、当該移動通信装置６００の位置を推定する。例えば、位置情報推定手段７２０は、測位信号受信制御部６０８により受信された測位信号に含まれる位置情報により示される位置を基点とし、センサ６２２により検知された情報に基づいて、当該移動通信装置６００の位置を推定する。推定された位置は、必要に応じて、緯度、経度に変換され、位置情報送信手段７２０による制御により、位置信号送信部６１８から送信される。位置情報推定手段７２０は、当該移動通信装置６００の位置を推定する際に、測位誤差を求めるようにしてもよい。位置情報推定手段７２０は、精度情報に、測位誤差を換算するようにしてもよい。精度情報は、推定位置とともに、無線端末１２０に送信されてもよい。この場合、位置情報送信手段は、IMESメッセージのリザーブビットに、精度情報を格納し、位置情報とともに送信するようにしてもよい。
【０１７８】
図２６は、IMESメッセージの一実施例を示す。図２６には、「ｗｏｒｄ１」−「ｗｏｒｄ４」について示される。「ｗｏｒｄ１」には、２１ｂｉｔ目から２４ｂｉｔ目に計４ｂｉｔｓのリザーブビットが含まれる。「ｗｏｒｄ４」には、１６ｂｉｔ目から１７ｂｉｔ目に計２ｂｉｔｓのリザーブビットが含まれる。位置情報送信手段７１２は、計６ｂｉｔｓのリザーブビットに、精度情報を格納する。
【０１７９】
なお、移動通信装置６００に、ユーザからの入力を受け付ける入力手段や、推定位置を提示する表示手段を備えてもよい。これにより、ユーザへの推定位置の提示や、ユーザからの推定位置の入力又は修正が可能となる。
【０１８０】
図２７は、移動通信装置６００の動作の一実施例を示す。
【０１８１】
ステップＳ２７０２では、通信装置１００は、測位信号を送信する。該測位信号には、通信装置１００の位置情報が含まれる。位置情報には、例えば経度緯度情報、フロア情報等が含まれる。測位信号は、IMESメッセージであってもよい。
【０１８２】
ステップS２７０４では、移動通信装置６００は、初期位置情報として、通信装置１００からの測位信号に含まれる位置情報を記憶する。
【０１８３】
ステップS２７０６では、移動通信装置６００は、移動する。
【０１８４】
ステップＳ２７０８では、移動通信装置６００は、当該移動通信装置６００の位置を推定する。例えば、移動通信装置６００は、オドメトリ測位等により、当該移動通信装置６００の位置を推定する。移動通信装置６００は、送信する位置情報に、推定位置を反映する。
【０１８５】
ステップＳ２７１０では、移動通信装置６００は、測位信号を送信する。該測位信号には、推定位置情報が含まれる。測位信号は、IMESメッセージであってもよい。
【０１８６】
一実施形態における移動通信装置６００は、通信装置１００からの測位信号が届かない領域に存在する無線端末１２０に、当該移動通信装置６００の測位信号を受信させることができる。
【０１８７】
図２８は、移動通信装置６００の動作の一実施例を示す。
【０１８８】
図２８に示される例では、移動通信装置６００は、屋内を移動する。図２８に示される例では、移動通信装置６００は、一点破線により示される経路で、位置（１）から位置（２）を経由して、位置（３）に移動する。
【０１８９】
位置（１）、位置（２）では、移動通信装置６００は、通信装置１００からの測位信号に基づいて認識した位置と、相対測位手段により推定された位置に基づいて、当該移動通信装置６００の位置を推定する。移動通信装置６００は、測位信号を送信する。該測位信号には、当該移動通信装置６００の推定位置情報が含まれる。移動通信装置６００からの測位信号によりカバーされる領域には、無線端末１２０が存在しない。
【０１９０】
位置（３）では、移動通信装置６００は、通信装置１００からの測位信号に基づいて認識した位置と、相対測位手段により推定された位置に基づいて、当該移動通信装置６００の位置を推定する。移動通信装置６００は、測位信号を送信する。該測位信号には、当該移動通信装置６００の推定位置情報が含まれる。移動通信装置６００からの測位信号によりカバーされる領域には、無線端末１２０が存在する。移動通信装置６００により送信される当該移動通信装置６００の推定位置情報の範囲は、該推定位置情報を受信した無線端末１２０の位置をみなせる程度に狭いことが望ましい。
【０１９１】
無線端末１２０は、移動通信装置６００からの測位信号を受信する。無線端末１２０は、移動通信装置６００からの測位信号に含まれる推定位置と、当該無線端末１２０の識別情報とを含む情報を移動通信装置６００へ送信する。該送信は、例えばIEEE802.15.4及びZigBee（登録商標）のような近距離無線通信によるネットワーク１８０を通じて行われる。この場合には、無線端末１２０の識別情報として、IEEE802.15.4の短縮アドレスまたはIEEE拡張（MAC）アドレスを用いることができる。
【０１９２】
移動通信装置６００へ送信された識別情報と位置情報は、通信可能な範囲に位置する他の移動通信装置又は通信装置を経由して、管理装置１４０に送信される。
【０１９３】
図２９は、一実施形態における移動通信装置６００の機能ブロック図を表す。一実施形態における移動通信装置６００は、記憶手段７０２、通信手段７０８、無線端末情報取得手段７２２、無線端末測位依頼手段７２４、空間マップ作成手段７２６、制御手段７１８、及び位置情報推定手段７２０を有する。
【０１９４】
移動通信装置６００は、図２５を参照して説明した移動通信装置に、無線端末情報取得手段７２２と、無線端末測位依頼手段７２４と、空間マップ作成手段７２６とを有するようにしたものである。
【０１９５】
無線端末情報取得手段７２２は、管理サーバ１６０から、該管理サーバ１６０に記録された無線端末１２０の識別情報と、位置情報と、受信日時とを取得する。
【０１９６】
無線端末測位依頼手段７２４は、無線端末情報取得手段７２２により取得された情報のうち、受信日時を参照し、予め設定された期間、識別情報と位置情報とを送信していない無線端末を検索する。無線端末測位依頼手段７２４は、検索の結果得られた無線端末１２０からの位置情報に基づいて、該位置に移動するように制御する。無線端末測位依頼手段７２４は、無線端末１２０からの位置情報の位置で、測位信号を送信するように制御する。
【０１９７】
識別情報と位置情報とを送信してから長期間経過している無線端末１２０は、送信装置１００からの測位信号を受信できない領域に存在すると想定される。移動通信装置６００は、最後に、無線端末から受信した位置情報に該当する位置に移動し、測位信号を送信する。このようにすることにより、無線端末１２０に、測位を促し該無線端末１２０の識別情報と、位置情報とを含む情報の送信を促すことができる。
【０１９８】
空間マップ作成手段７２６は、測位信号受信部６１０により測位される測位信号の受信電界強度に基づいて、通信装置１００からの電波の電界強度のマップを作成する。通信装置１００からの電波の電界強度のマップを参照することにより、通信装置１００からの測位信号によりカバーされていない領域を知ることができる。
【０１９９】
以上、本発明は特定の実施形態、実施例を参照しながら説明されてきたが、各実施形態、実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０２００】
１００、１０２、１０４、１０６  通信装置
１２０、１２２、１２４  無線端末
１４０  管理装置
１６０  管理サーバ
１８０  ネットワーク
１９０  ネットワーク
【先行技術文献】
【特許文献】
【０２０１】
【特許文献１】特許第４６２０４１０号公報
【特許文献２】特開２０１０−１５９９８０号公報
【特許文献３】国際公開第２００５／０８６３７５号
【図１】
2014023119.tif 000003
【図２】
2014023119.tif 000004
【図３】
2014023119.tif 000005
【図４】
2014023119.tif 000006
【図５】
2014023119.tif 000007
【図６】
2014023119.tif 000008
【図７】
2014023119.tif 000009
【図８】
2014023119.tif 000010
【図９】
2014023119.tif 000011
【図１０】
2014023119.tif 000012
【図１１】
2014023119.tif 000013
【図１２】
2014023119.tif 000014
【図１３】
2014023119.tif 000015
【図１４】
2014023119.tif 000016
【図１５】
2014023119.tif 000017
【図１６】
2014023119.tif 000018
【図１７】
2014023119.tif 000019
【図１８】
2014023119.tif 000020
【図１９】
2014023119.tif 000021
【図２０】
2014023119.tif 000022
【図２１】
2014023119.tif 000023
【図２２】
2014023119.tif 000024
【図２３】
2014023119.tif 000025
【図２４】
2014023119.tif 000026
【図２５】
2014023119.tif 000027
【図２６】
2014023119.tif 000028
【図２７】
2014023119.tif 000029
【図２８】
2014023119.tif 000030
【図２９】
2014023119.tif 000031